(57)【要約】【課題】  ユーザーがカーテンの吊り方の基本を理解していなくても、カーテンを適正に吊る基本の吊り方に容易に調整することができるアジャスター付きカーテンフックを提供する【解決手段】  アジャスターと本体の相互周接面に前者を後者に対して二つの上下の位置に解除可能にロックする凹凸係合を設け、アジャスターを本体に対して一方の上下位置にロックすると、カーテンが基本のＡ吊りとなり、他方の上下位置にロックすると、カーテンが基本のＢ吊りとなるようにする。【選択図】      図２
2006346057.tif 000002
【特許請求の範囲】
【請求項１】
上部にカーテンランナーのリングに係止させる逆Ｕ字形のフックを、下部に爪を備える枠部を有するアジャスターと、一側は上から外嵌する前記枠部の前記爪と係合して前記アジャスターをラチェット式に下方に移動させる多段の爪を備える係合片に、他側はカーテンに挿入される取付片にそれぞれ形成されるＵ字形の本体とからなるアジャスター付きカーテンフックにおいて、前記アジャスターを前記本体に対して二つの上下の位置において解除可能にロックする凹凸係合を前記アジャスターと前記本体の相互周接面に設け、前記アジャスターを前記本体に対して一方の上下位置にロックすると、カーテンはＡ吊りとなり、他方の上下位置にロックするとＢ吊りとなることを特徴とするアジャスター付きカーテンフック。
【請求項２】
本体の係合部は、前板部、中板部、後板部に中央を連結する横断面王字形の柱体であり、前記中板部前面に下向き爪が形成され、アジャスターの枠部は、前記前板部の前面と摺接する中央壁部と、中央壁部の左右から延長して前記中板部の後面左右に掛かる左右壁部と、前記左右壁部か内側に突出して前記下向き爪と係合する上向き爪を備えることを特徴とする請求項１に記載のアジャスター付きカーテンフック。
【請求項３】
前板部はの前面上下に二つの凹部を備え、枠部は垂下して前記前板部前面と摺接するバネ板を備え、前記バネ板は前記凹部に出入可能に嵌着する凸部を備えることを特徴とする請求項２に記載のアジャスター付きカーテンフック。
【請求項４】
前板部はの前面上下に二つの凹部を備え、フックは前記前板部前面と摺接する後面に前記凹部に出入可能に嵌着する凸部を備えることを特徴とする請求項２に記載のアジャスター付きカーテンフック。
【請求項５】
凹部と凸部が係合するとき、上向き爪と下向き爪の先端同士が当接することを特徴とする請求項３又は４に記載のアジャスター付きカーテンフック。
【発明の詳細な説明】
【技術分野】
【０００１】
本発明は、カーテンの吊り高さを多段階に調整するアジャスターを備えるカーテンフックに関する。
【背景技術】
【０００２】
カーテンの吊り高さを多段階に調整するアジャスター付きカーテンフックは公知である。アジャスター付きカーテンフックは、本体と、別体のアジャスターとからなる。アジャスターは、上部にカーテンランナーのリングに係止させる逆Ｕ字形のフックを、下部に左右の上向き爪を備える枠部を有する。本体は、Ｕ字形であり、一側は外嵌するアジャスターをラチェット式に下方にのみ自由に移動させることのできる多段階の下向き爪が設けられた係合片に、他側はカーテンに挿入される取付片にそれぞれ形成される。
【０００３】
アジャスターの枠部を本体の係合部に上から外嵌して下方に押し下げるとき、アジャスターの上向き爪は、本体の下向き爪の先端を越えた瞬間を除き、常に弾性変形して本体の下向き爪の表面を滑るが、本体の各段階の下向き爪の先端を越えた瞬間、弾性的に反発し、先端が本体の下向き爪の先端と当接する。このとき、アジャスターを放すと、アジャスターは上向き爪が当接する下向き爪の段位置に安定停止する。このように、アジャスター付きカーテンフックは、ランナーに対するカーテンの吊り高さを多段階に調整することができる。
【０００４】
カーテンのランナーに対する吊り方の基本は、Ａ吊り及びＢ吊りの２通りである。Ａ吊りは、カーテン上縁の高さをランナー下端の高さと略一致させる吊り方であり、Ｂ吊りはカーテン上縁の高さをランナー下端の高さよりも取付片の上下幅の略半分だけ高くする吊り方である。ユーザーが調整不要のカーテンフックを使用する場合は、カーテンの吊り方が不適正になるおそれはないが、ユーザーの多くは、吊り方の基本を理解していないので、
ユーザーの調整必要なアジャスター付きカーテンフックを使用する場合は、カーテンの吊り方が不適正になりやすいという問題がある。設置時の吊り方が適正であったとしても、洗濯等のためにカーテンフックを取り外すと、アジャスターは移動し易いので、ユーザーによるアジャスターの再調整が必要となる。このときも、ユーザーが吊り方の基本を知らないと、カーテンの吊り方が不適正になる。
【特許文献１】実公平７−１３８号公報
【発明の開示】
【発明が解決しようとする課題】
【０００５】
本発明は、この問題を解決するためになされたものであり、その課題は、ユーザーがカーテンの吊り方の基本を理解していなくても、簡単にカーテンが基本の吊り方になるように調整されるアジャスター付きカーテンフックを提供することである。
【課題を解決するための手段】
【０００６】
前記課題を達成するため、本発明が採用する手段は、上部にカーテンランナーのリングに係止させる逆Ｕ字形のフックを、下部に爪を備える枠部を有するアジャスターと、一側は上から外嵌する枠部の爪と係合してアジャスターをラチェット式に下方に移動させる多段の爪を備える係合片に、他側はカーテンに挿入される取付片にそれぞれ形成されるＵ字形の本体とからなるアジャスター付きカーテンフックにおいて、アジャスターと本体の相互周接面に前者を後者に対して二つの上下の位置において解除可能にロックする凹凸係合を設け、アジャスターを本体に対して一方の上下位置にロックすると、カーテンが基本のＡ吊りとなり、他方の上下位置にロックすると、カーテンが基本のＢ吊りとなることを特徴とする。
【発明の効果】
【０００７】
本発明のアジャスター付きカーテンフックは、上記手段により、ユーザーがアジャスターの枠部を上から本体の係合部に外嵌して押し下げるとき、アジャスターがカーテンＡ吊り位置まで下がると、アジャスターと本体の周接面に設けた凹凸係合が有効になりアジャスターを本体にロックするから、ユーザーがカーテンの吊り方を知らなくても、カーテンを適正に吊ることができる。Ａ吊りよりも所望のカーテン高さが高いときは、凹凸係合を解除してアジャスターをさらに押し下げる。この場合も、アジャスターがカーテンＢ吊り位置まで下がると、凹凸係合が有効になりアジャスターを本体にロックするから、ユーザーがカーテンの高い吊り方を知らなくても、カーテンを適正に吊ることができる。
【発明を実施するための最良の形態】
【０００８】
本体の係合部は、前板部、中板部、後板部それぞれの中央を連結する横断面王字形の柱体とし、中板部前面に多段の下向き爪を形成する。アジャスターの枠部は、前板部の前面と摺接する中央壁部と、中央壁部の左右から延長して中板部の後面左右に掛かる左右壁部とから形成し、左右壁部に内側に突出して本体の下向き爪と係合する上向き爪を形成する。
【０００９】
前板部の前面上下に二つの凹部を設け、枠部に垂下して前板部前面と摺接するバネ板を設け、そのバネ板に凹部に出入可能に嵌着する凸部を設けるか、又は、フックの前板部前面と摺接する後面に凹部に出入可能に嵌着する凸部を設ける。凹部と凸部が係合するとき、上向き爪と下向き爪の先端同士が当接するようにすると、基本のＡ吊り及びＢ吊りが安定する。
【実施例】
【００１０】
本発明のカーテンフックを図面に示す実施例に基づいて説明する。図１及び図２は、実施例の前面図及び部分断面側面図、図３は、アジャスターの中央縦断面図、図４は、図２のＩＶ−ＩＶ線矢視図である。
【００１１】
図１及び図２に示すように、アジャスター付きカーテンフックは、本体１と別体のアジャスター２とからなる。図３に示すように、アジャスター２は、上部にカーテンランナーのリングに係止させる逆Ｕ字形のフック３を、下部に左右の上向きの爪４を内側に備える枠部５を有する。枠部５の左右には窓１８が設けられる。枠部５からバネ板６が垂下し、バネ板６の後面には凸部７が形成される。バネ板６の先端は前側に反り返る。
【００１２】
図２に示すように、本体１は、Ｕ字形であり、その一側は外嵌するアジャスター２と係合する係合片８として、他側は図外のカーテン上縁部に挿入される取付片９としてそれぞれ形成される。図２及び図４に示すように、係合片８は前板部１０と中板部１１と後板部１２の中央を連結してなる横断面王字形の柱体である。中板部１１の前面には上下多段の下向き爪１３が形成され、この下向き爪１３はアジャスター２の上向き爪４と係合する。
アジャスター２の上向き爪４は左右壁部１５の窓１８を通して観察することができる。
【００１３】
アジャスター２の枠部５は、前板部１０の前面と摺接する中央壁部１４と、中央壁部１４の左右から延長して中板部１１の後面左右に掛かる左右壁部１５とから形成される。本体１の下向き爪１３と係合する上向き爪４は左右壁部１５から内側に突出する。図１及び図２に示すように、係合片８の前板部１０の前面には上下に二つの凹部１６、１７が設けられ、その凹部１６、１７にはアジャスター２の凸部７が嵌り込む。
【００１４】
アジャスター２の凸部７が本体１の上の凹部１６に嵌るとき、アジャスター２のフック３と本体１の取付片９は上端の高さが略一致するので、カーテンフックはＡ吊りに対応する。他方、アジャスター２の凸部７が本体１の下の凹部１７に嵌るとき、アジャスター２のフック３の上端高さと本体１の取付片９の上下中心高さが略一致するので、カーテンフックはＢ吊りに対応する。
【００１５】
アジャスター２の枠部５を本体１の係合片８に上から外嵌して下方に移動させるとき、アジャスター２の上向き爪４は、本体１の下向き爪１３の先端を越えた瞬間を除き、常に弾性変形して下向き爪１３の表面を滑るが、本体１の各段階の下向き爪１３の先端を越えた瞬間、上向き爪４は弾性反発し、先端が本体１の下向き爪１３の先端と当接する。このとき、アジャスター２を放すと、アジャスター２は上向き爪１４が当接する下向き爪１３の段位置に安定停止する。このように、アジャスター付きカーテンフックは、ランナーに対するカーテンの吊り高さを多段階に調整することができる。
【００１６】
本体１に嵌めたアジャスター２をカーテンＡ吊りに対応する位置まで押し下げると、アジャスター２の凸部７が本体１の上の凹部１６に嵌り、アジャスター２をロックして移動を制止する。このように、アジャスター２をロックされるまで押し下げるだけで、カーテンフックはＡ吊りに対応する状態に調整されるので、ユーザーはカーテン吊りの基本を知らなくてもカーテンフックを適正にかつ容易に調整することができる。
【００１７】
カーテンを高く吊る場合、手でバネ板６の先端を前側に引き凸部７を上の凹部１６から抜いてロックを解除する。再び、アジャスター２を押し下げると、アジャスター２の凸部７が本体１の下の凹部１７に嵌り、アジャスター２をロックして移動を制止する。このとき、アジャスター２はカーテンＢ吊りに対応する位置にある。このように、アジャスター２を再びロックされるまで押し下げるだけで、カーテンフックはＢ吊りに対応する状態に調整される。
【００１８】
図示していないが、凸部は、フックの前板部前面と摺接する後面に形成し、フックの弾性で凸部を凹部に嵌め込んでロックし、手でフックを前に引いて凸部を凹部から引き抜き、ロックを解除するようにすることも可能である。
【００１９】
上向き爪と下向き爪が規定する多段階のアジャスター位置の中の２つと凸部と凹部がロックして規定するアジャスターのＡ吊り及びＢつり位置を一致させてもよい。
【図面の簡単な説明】
【００２０】
【図１】本発明実施例のカーテンフックの前面図、
【図２】実施例の部分断面側面図、
【図３】実施例のアジャスターの側断面図、
【図４】図２のＩＶ−ＩＶ線矢視図。
【符号の説明】
【００２１】
１：本体
２：アジャスター
３：フック
４：上向き爪
５：枠部
６：バネ板
７：凸部
８：係合片
９：取付片
１０：前板部
１１：中板部
１２：後板部
１３：下向き爪
１４：中央壁部
１５：左右側壁部
１６：凹部（上）
１７：凹部（下）
１８：窓
【図１】
2006346057.tif 000003
【図２】
2006346057.tif 000004
【図３】
2006346057.tif 000005
【図４】
2006346057.tif 000006